(57)【要約】      （修正有）【課題】眼鏡と一体ではなく、また眼鏡をしない人でも利用が可能であり、安定に使用者の頭部に固定できる後方確認用バックミラー保持具を提供する。【解決手段】保持バンド部２００と、後方確認用バックミラー１０と、バックミラー保持棒３０と、前記保持バンド部２００と、バックミラー保持棒３０とを接合する接合部とで構成される後方確認用バックミラー保持具であって、前記接合部は、中空円筒部と円柱部で構成された勘合式接合部３００であることを特徴とする後方確認用バックミラー保持具とする。【選択図】図１
2012252054.tif 000002
【特許請求の範囲】
【請求項１】
保持バンド部と、後方確認用バックミラーと、バックミラー保持棒と、前記保持バンド部と、バックミラー保持棒とを接合する接合部とで構成される後方確認用バックミラー保持具であって、
前記接合部は、中空円筒部と円柱部で構成された勘合式接合部であることを特徴とする後方確認用バックミラー保持具。
【請求項２】
保持バンド部と、後方確認用バックミラーと、バックミラー保持棒と、前記保持バンド部と、バックミラー保持棒とを接合する接合部とで構成される後方確認用バックミラー保持具であって、
前記接合部は、永久磁石、強磁性体との組み合わせでなる磁気式接合部であることを特徴とする後方確認用バックミラー保持具。
【請求項３】
前記後方確認用バックミラーは、前記保持バンド部の左右にそれぞれ配置されていることを特徴とする請求項１または２記載の後方確認用バックミラー保持具。
【請求項４】
前記後方確認用バックミラーは、前記保持バンド部の左右のいずれか一方に配置されていることを特徴とする請求項１または２記載の後方確認用バックミラー保持具。
【請求項５】
前記保持バンド部の押し圧力によって、頭部、および耳部を介して、使用者へ固定されたことを特徴とする請求項１ないし４のいずれか１項記載の後方確認用バックミラー保持具。
【発明の詳細な説明】
【技術分野】
【０００１】
本発明は、後方確認用バックミラーを、眼鏡とは独立して保持することを特徴とする後方確認用バックミラー保持具に関する。
【背景技術】
【０００２】
従来、後方確認用バックミラーを保持する構造として、眼鏡本体のツルに、結合部を介して眼鏡と一体化して後方確認用バックミラーを保持する構造が開示されていた。
特許文献１では、図５に示すように、後方確認用のバックミラー４が、支持腕３を中継して、眼鏡のフレーム２の側部に設けられた基端３ａに取り付けられている。眼鏡を掛けた使用者は、後方確認用のバックミラー４により、後方を確認することができる。
【先行技術文献】
【特許文献】
【０００３】
【特許文献１】実用新案登録第３０７２８８３号
【発明の概要】
【発明が解決しようとする課題】
【０００４】
従来の図５に示すようなバックミラー付き眼鏡は、後方確認用バックミラー４が眼鏡本体に固定された構造であるので、構造が、複雑であり、かつ使用者が、取り扱う場合、煩雑であるという問題点があった。。また、眼鏡を用いない人の場合は、後方を、バックミラーで確認することができないという問題点があった。即ち、眼鏡を使用しない人への、対応が不可能であった。
【０００５】
本発明の課題は、眼鏡と一体ではなく、また眼鏡をしない人でも利用が可能であり、安定に使用者の頭部に固定できる後方確認用バックミラー保持具を提供することである。
【課題を解決するための手段】
【０００６】
本発明の請求項１に係る後方確認用バックミラー保持具は、保持バンド部と、後方確認用バックミラーと、バックミラー保持棒と、前記保持バンド部と、バックミラー保持棒とを接合する接合部とで構成される後方確認用バックミラー保持具であって、前記接合部は、中空円筒部と円柱部で構成された勘合式接合部であることを特徴とする後方確認用バックミラー保持具である。
【０００７】
本発明の請求項２に係る後方確認用バックミラー保持具は、保持バンド部と、後方確認用バックミラーと、バックミラー保持棒と、前記保持バンド部と、バックミラー保持棒とを接合する接合部とで構成される後方確認用バックミラー保持具であって、前記接合部は、永久磁石、強磁性体との組み合わせでなる磁気式接合部であることを特徴とする後方確認用バックミラー保持具である。
【０００８】
本発明の請求項３に係る後方確認用バックミラー保持具は、前記後方確認用バックミラーが、前記保持バンド部の左右にそれぞれ配置されていることを特徴とする請求項１または２記載の後方確認用バックミラー保持具である。
【０００９】
本発明の請求項４に係る後方確認用バックミラー保持具は、前記後方確認用バックミラーが、前記保持バンド部の左右のいずれか一方に配置されていることを特徴とする請求項１または２記載の後方確認用バックミラー保持具である。
【００１０】
本発明の請求項５に係る後方確認用バックミラー保持具は、前記保持バンド部の押し圧力によって、頭部、および耳部を介して、使用者へ固定されたことを特徴とする請求項１ないし４のいずれか１項記載の後方確認用バックミラー保持具である。
【発明の効果】
【００１１】
本発明の請求項１の後方確認用バックミラー保持具によれば、中空円筒部と円柱部で構成された勘合式結合部を用いて、確実に後方確認用バックミラーを保持できる後方確認用バックミラー保持具を提供できる。
【００１２】
本発明の請求項２の後方確認用バックミラー保持具によれば、永久磁石、強磁性体との組み合わせでなる磁気式接合部を用いて、確実に後方確認用バックミラーを保持できる後方確認用バックミラー保持具を提供できる。
【００１３】
本発明の請求項３，４の後方確認用バックミラー保持具によれば、使用目的に応じて、後方確認用視野を選択できる後方確認用バックミラー保持具を提供できる。
【００１４】
本発明の請求項５の後方確認用バックミラー保持具によれば、安定に、使用者の頭の固定できる後方確認用バックミラー保持具を提供できる。
【００１５】
本発明によれば、眼鏡と一体ではなく、また眼鏡をしない人でも利用が可能であり、安定に使用者の頭部に固定できる後方確認用バックミラー保持具を提供することができる。
【図面の簡単な説明】
【００１６】
【図１】本発明の実施例１の後方確認用バックミラー保持具の斜視図。
【図２】図１の後方確認用バックミラー保持具のバックミラー保持棒と保持バンド部とを分離した図。
【図３】本発明の実施例２の後方確認用バックミラー保持具の斜視図。
【図４】図３の後方確認用バックミラー保持具のバックミラー保持棒と保持バンド部とを分離した図。
【図５】従来のバックミラー付き眼鏡の斜視図。
【実施例】
【００１７】
本発明の後方確認用バックミラー保持具の実施例について、以下説明する。
【００１８】
(実施例１)
図１は、本発明の実施例１の後方確認用バックミラー保持具の斜視図である。
図１の後方確認用バックミラー保持具は、保持バンド部２００と、後方確認用バックミラー１０と、バックミラー保持棒３０と、前記保持バンド部２００と、バックミラー保持棒３０とを接合する勘合式接合部３００とで構成される後方確認用バックミラー保持具であって、前記勘合式接合部３００は、中空円筒部５０と円柱部４０とで構成されており、脱着可能であることを特徴とする。
【００１９】
図２は、図１の後方確認用バックミラー保持具のバックミラー保持棒３０と保持バンド部２００とを分離した図である。図２にて、勘合式接合部３００は、中空円筒部５０と、円柱部４０とが分離された状態である。
【００２０】
円柱部４０を中空円筒部５０に装着して、後方確認用バックミラー保持具を組み立てた後は、前記保持バンド部２００の押し圧力によって、使用者の頭部、および耳部を介して、後方確認用バックミラー保持具が固定される。ここで、使用者が、眼鏡を掛けている場合も装着可能であり、また、使用者が、眼鏡を掛けていない場合も装着可能であり、後方確認用バックミラー１０によって、後方を確認可能となる。
【００２１】
なお、図１の後方確認用バックミラー保持具は、左右に、後方確認用バックミラー１０が配置された構造であるが、左のみ、あるいは右のみに後方確認用バックミラー１０が、１個のみ配置された後方確認用バックミラー保持具保持具であっても良い。
【００２２】
（実施例２）
図３は、本発明の実施例２の後方確認用バックミラー保持具の斜視図である。
図３の後方確認用バックミラー保持具保持具は、保持バンド部２０１と、後方確認用バックミラー１１と、バックミラー保持棒３１と、前記保持バンド部２０１と、バックミラー保持棒３１とを接合する磁気式接合部３０１とで構成される後方確認用バックミラー保持具であって、前記磁気式結合部３００は、永久磁石５１、強磁性体４１とで構成されており、脱着可能であることを特徴とする。
【００２３】
図４は、図３の後方確認用バックミラー保持具のバックミラー保持棒３１と保持バンド部２０１とを分離した図である。図２にて、磁気式接合部３０１は、永久磁石５１、強磁性体４１とが分離されている。
【００２４】
永久磁石５１と強磁性体４１とを接合して、後方確認用バックミラー保持具を組み立てた後は、前記保持バンド部２０１の押し圧力によって、使用者の頭部、および耳部を介して、後方確認用バックミラー保持具が固定される。ここで、使用者が、眼鏡を掛けている場合も装着可能であり、また、使用者が、眼鏡を掛けていない場合も装着可能であり、後方確認用バックミラー１１によって、後方を確認可能となる。
【００２５】
なお、図３の後方確認用バックミラー保持具は、左右に、後方確認用バックミラー１１が配置された構造であるが、左のみ、あるいは右のみに後方確認用バックミラー１１が、１個のみ配置された後方確認用バックミラー保持具保持具であっても良い。
【符号の説明】
【００２６】
２    眼鏡のフレーム
３    支持腕
３ａ  基端
４、１０，１１    後方確認用バックミラー
５    レンズ
６  眼鏡のツル部
２００，２０１  保持バンド部
３０，３１    バックミラー保持棒
３００  勘合式接合部
４０    円柱部
５０    中空円筒部
３０１  磁気式接合部
４１  鉄板
５１  永久磁石
【図１】
2012252054.tif 000003
【図２】
2012252054.tif 000004
【図３】
2012252054.tif 000005
【図４】
2012252054.tif 000006
【図５】
2012252054.tif 000007